(57)【要約】【課題】  従来のデジタルスチルカメラでは、表示部を外装ケースに支持するために２軸ヒンジ構造を採用するものが多かったことから、表示部を回動自在に支持するための支持構造が大きなものとなり、撮像装置全体の小型化、軽量化を図ることができないという問題があった。【解決手段】  液晶ディスプレイ１３が設けられ且つ外装ケース１２にスライド可能に支持された表示部１４と、その表示部１４の一辺を中心に表示部１４を回動させる回動手段と、を設ける。【選択図】      図４  
2005234480.tif 000002
【特許請求の範囲】
【請求項１】
表示手段が設けられ且つ外装ケースにスライド可能に支持された表示部と、
前記表示部の一辺を中心に当該表示部を回動させる回動手段と、
を設けたことを特徴とする電子機器。
【請求項２】
前記回動手段は、前記表示部の前記スライド方向の一辺に設けた支持軸と、前記外装ケースに移動可能に支持され且つ前記支持軸を回動自在に支持する軸受部材と、を有することを特徴とする請求項１記載の電子機器。
【請求項３】
前記表示部と前記外装ケースとの間には、当該表示部の回動位置を検出する位置検出手段を設けたことを特徴とする請求項１記載の電子機器。
【請求項４】
表示手段が設けられ且つ外装ケースにスライド可能に支持された表示部と、
前記表示部の内側に配置され且つ前記外装ケースにスライド可能に支持された体裁部材と、
前記表示部のスライド動作を前記体裁部材に伝達して当該体裁部材を摺動させる動力伝達手段と、
前記表示部の一辺を中心に当該表示部を回動させる回動手段と、
を設けたことを特徴とする電子機器。
【請求項５】
前記体裁部材には、前記表示部と前記外装ケース内に収納された電源とを接続するフレキシブルプリント配線板を沿わせ、当該体裁部材の移動によって当該フレキシブルプリント配線板の遊びを取るようにしたことを特徴とする請求項４記載の電子機器。
【請求項６】
前記外装ケースには、前記フレキシブルプリント配線板の中途部を支持する一対の支持部材を設け、前記体裁部材には、前記一対の支持部材間に介在されるガイド部材を設け、当該体裁部材の移動により当該ガイド部材で当該フレキシブルプリント配線板の遊びを取るようにしたことを特徴とする請求項４記載の電子機器。
【請求項７】
前記動力伝達手段は、前記表示部に設けた表示用ラックと、前記体裁部材に設けた体裁用ラックと、前記表示用ラックと前記体裁用ラックとの間を動力伝達可能に連結するギア列と、からなることを特徴とする請求項４記載の電子機器。
【請求項８】
前記表示用ラック及び前記体裁用ラックは、前記表示部の両側に一対設けたことを特徴とする請求項７記載の電子機器。
【請求項９】
前記回動手段は、前記表示部の前記スライド方向の一辺に設けた支持軸と、前記外装ケースに移動可能に支持され且つ前記支持軸を回動自在に支持する軸受部材と、を有することを特徴とする請求項４記載の電子機器。
【請求項１０】
前記表示部と前記外装ケースとの間には、当該表示部の回動位置を検出する位置検出手段を設けたことを特徴とする請求項４記載の電子機器。
【発明の詳細な説明】
【技術分野】
【０００１】
本発明は、液晶表示装置（ＬＣＤ）等の表示部を姿勢変更可能に取り付けた電子機器に関し、特に、表示部をスライド自在に構成すると共に表示面と反表示面を容易に反転動作可能とした電子機器に関するものである。
【背景技術】
【０００２】
近年、デジタルスチルカメラ、携帯電話、ＰＤＡ（個人向け携帯型情報通信機器）等をはじめとするポータブル電子機器の多くには、情報を表示する装置としてＬＣＤ（液晶表示装置）が使用されている。このＬＣＤを使用した電子機器において、表示面を傷から保護するために、未使用時には表示面を内側に向けて収納する形態を取るものが多く見られる。
【０００３】
従来の、この種の表示装置を備えた電子機器としては、例えば、特許文献１に記載されているようなものがある。特許文献１には、画面サイズの大きな画像表示部を使用する小型化された画像記録再生装置に関するものが記載されている。この特許文献１に記載された画像記録再生装置は、本体部に対して開閉自在に支持されると共に本体部側面に沿って収納されるようにされ、撮像レンズによって撮像された画像、本体部に内蔵された記録媒体に記録されている画像及び外部機器から入力された画像を表示する画像表示部を有する画像記録再生装置において、上記本体部は、通常の使用状態において縦長長方形状をなす筐体を有し、上記画像表示部は、撮像レンズの光軸と平行な水平方向に延びる開閉軸を回動中心として開閉すると共に、本体部側面に沿って縦長長方形状で収納されるようにされた、ことを特徴としている。
【０００４】
このような構成を有する画像記録再生装置によれば、画像表示部の視認性を犠牲にすることなく、装置全体を小型化することができ、また、本体部の大きさが同じであれば、画像記録再生装置が水平方向に開く構造を有するものよりも大きな画像表示面を持つようにすることができる、等の効果が期待される。
【０００５】
また、この種の表示装置を備えた従来の電子機器の他の例としては、例えば、特許文献２に記載されているようなものもある。特許文献２には、マクロ撮影時に被写体に対して均一な光を照射するデジタルカメラ及びそのデジタルカメラを用いた撮影方法に関するものが記載されている。この特許文献２に記載されたデジタルカメラは、撮像手段によって撮影される画像を表示するための液晶モニタ画面を備えるデジタルカメラにおいて、前記液晶モニタ画面が全面白画面となるように、該液晶モニタ画面に送る画像データを変更する表示変更手段を備え、前記液晶モニタ画面からの出射光が前記撮像手段の撮像領域を照射するような方向に、該液晶モニタ画面の向きを変化させることができるようにした、ことを特徴としている。
【０００６】
このような構成を有するデジタルカメラによれば、液晶モニタをマクロ撮影時の照明光源として利用するようにしたので、被写体に対し均一な照明を与える照明光源を簡単な構成でもって実現することができる。また、被写体に対し均一な照明を与えることができるので、露光ムラの少ない、明るくきれいな画像を撮ることができる、等の効果が期待される。
【特許文献１】特開２００３−５１９７０号公報
【特許文献２】特開２０００−７５３６３号公報
【０００７】
一般に、デジタルカメラでは、対物レンズを保護するスライド式のカバーを設けたものは多く存在するが、表示装置として使用されるＬＣＤパネルは、表示面が剥き出しのままカメラ本体に固定されているものが多く見られる。また、デジタルカメラの中には、特許文献２に示すような構成を有する液晶モニタ付デジタルスチルカメラもある。このデジタルスチルカメラは、連結部材を介して液晶モニタがカメラ本体部に連結されている。連結部材と液晶モニタ及び連結部材とカメラ本体部は、それぞれ回転軸を介して回動自在に連結されており、各回転軸を中心として一定の角度で回動して表示面の姿勢を変更できるように構成されている。
【０００８】
図１１Ａ〜Ｄは、特許文献１に記載された２軸ヒンジ構造をデジタルスチルカメラに適用した従来例を示すもので、それぞれ背面側から見た説明図である。デジタルスチルカメラ１は、横長の筐体からなる外装ケース２と、ＬＣＤが嵌め込まれた表示部３とを有し、表示部３は２軸ヒンジ機構４によって外装ケース２の背面上部に２軸方向へ回動自在に支持されている。符合５は、ビューファインダの接眼レンズ、６はシャッタボタンである。
【０００９】
図１１Ａは、表示部３の表示面を内側にして、その表示部３を外装ケース２背面の収納部７に収納した状態を示すものである。図１１Ｂは、図１１Ａの状態から、表示部３を起こして上方へ１８０度回動した状態を示すもので、これにより、ＬＣＤの表示面８が後ろ向きに露出される。図１１Ｃは、図１１Ｂの状態から、表示部３を横方向へ１８０度回動した状態を示すもので、これにより、表示面８はカメラ本体の前側に移動し、裏側の反表示面が後ろ向きとなる。また、図１１Ｄは、図１１Ｃの状態から、表示部３を引き倒して下方へ１８０度回動した状態を示すもので、これにより、表示面８が後ろ向きに露出されて収納部７に収納される。
【００１０】
しかしながら、特許文献２に記載されたデジタルスチルカメラによれば、互いに平行をなす２軸を有するヒンジ構造が必要であった。そのため、表示部の支持構造が大きなものとなり、デジタルスチルカメラ全体の小型化、軽量化を達成できないと言う課題があった。また、特許文献１に記載された画像記録再生装置及び図１１Ａ〜Ｄに示したデジタルスチルカメラの場合には、互いに直交する方向に延在する２軸を有するヒンジ構造が必要であった。そのため、特許文献２の場合と同様に、表示部を支持するための支持構造が大きなものとなり、撮像装置全体の小型化、軽量化を達成できないと言う課題があった。
【発明の開示】
【発明が解決しようとする課題】
【００１１】
解決しようとする問題点は、従来のデジタルスチルカメラでは、表示部を外装ケースに支持するために２軸ヒンジ構造を採用するものが多かったことから、表示部を回動自在に支持するための支持構造が大きなものとなり、撮像装置全体の小型化、軽量化を図ることができないことにある。
【課題を解決するための手段】
【００１２】
本出願の請求項１記載の発明は、表示手段が設けられ且つ外装ケースにスライド可能に支持された表示部と、その表示部の一辺を中心に表示部を回動させる回動手段と、を設けたことを最も主要な特徴とする。
【００１３】
本出願の請求項２記載の発明は、回動手段は、表示部のスライド方向の一辺に設けた支持軸と、外装ケースに移動可能に支持され且つ支持軸を回動自在に支持する軸受部材と、を有することを特徴とする。
【００１４】
本出願の請求項３記載の発明は、表示部と外装ケースとの間には、表示部の回動位置を検出する位置検出手段を設けたことを特徴とする。
【００１５】
本出願の請求項４記載の発明は、表示手段が設けられ且つ外装ケースにスライド可能に支持された表示部と、その表示部の内側に配置され且つ外装ケースにスライド可能に支持された体裁部材と、表示部のスライド動作を体裁部材に伝達して体裁部材を摺動させる動力伝達手段と、表示部の一辺を中心に表示部を回動させる回動手段と、を設けたことを主要な特徴とする。
【００１６】
本出願の請求項５記載の発明は、体裁部材には、表示部と外装ケース内に収納された電源とを接続するフレキシブルプリント配線板を沿わせ、体裁部材の移動によってフレキシブルプリント配線板の遊びを取るようにしたことを特徴とする。
【００１７】
本出願の請求項６記載の発明は、外装ケースには、フレキシブルプリント配線板の中途部を支持する一対の支持部材を設け、体裁部材には、一対の支持部材間に介在されるガイド部材を設け、体裁部材の移動によりガイド部材でフレキシブルプリント配線板の遊びを取るようにしたことを特徴とする。
【００１８】
本出願の請求項７記載の発明は、動力伝達手段は、表示部に設けた表示用ラックと、体裁部材に設けた体裁用ラックと、表示用ラックと体裁用ラックとの間を動力伝達可能に連結するギア列と、からなることを特徴とする。
【００１９】
本出願の請求項８記載の発明は、表示用ラック及び体裁用ラックは、表示部の両側に一対設けたことを特徴とする。
【００２０】
本出願の請求項９記載の発明は、回動手段は、表示部のスライド方向の一辺に設けた支持軸と、外装ケースに移動可能に支持され且つ支持軸を回動自在に支持する軸受部材と、を有することを特徴とする。
【００２１】
また、本出願の請求項１０記載の発明は、表示部と外装ケースとの間には、表示部の回動位置を検出する位置検出手段を設けたことを特徴とする。
【発明の効果】
【００２２】
本出願の請求項１記載の発明によれば、回動手段によって表示部を回動させることにより、表示部の表と裏を任意に表示することができる。
【００２３】
本出願の請求項２記載の発明によれば、回動手段は支持軸と軸受部材とで構成することができ、これにより簡単な構造でありながら表示部をしっかりと支持しつつ回動動作を確実に行うことができる。
【００２４】
本出願の請求項３記載の発明によれば、表示部と外装ケースとの間に位置検出手段を設けることにより、表示部の回動位置を検出することができ、その検出情報に基づいて表示部の姿勢変更に対応する制御を行うことができる。
【００２５】
本出願の請求項４記載の発明によれば、表示部をスライドさせることにより、その移動量に応じて体裁部材が、動力伝達手段の作動を介して所定量移動すると共に、その移動時の前後において、回動手段によって表示部を回動させることにより、表示部の表と裏を任意に表示できると共に、その状態で所定位置に収納することができる。
【００２６】
本出願の請求項５記載の発明によれば、体裁部材にフレキシブルプリント配線板を沿わせることにより、体裁部材の移動によってフレキシブルプリント配線板の遊びを取り、表示部の位置によってフレキシブルプリント配線板に弛みが生じるのを防止することができる。
【００２７】
本出願の請求項６記載の発明によれば、フレキシブルプリント配線板の中途部を一対の支持部材で支持すると共に、その間に介在されたガイド部材を体裁部材と一体に構成することにより、フレキシブルプリント配線板の遊びを確実に取ることができ、表示部の位置によってフレキシブルプリント配線板に弛みが生じるのを防止することができる。
【００２８】
本出願の請求項７記載の発明によれば、動力伝達手段を表示用ラックと体裁用ラックとギア列とで構成することにより、比較的簡単な構造によって動力伝達手段を構成できると共に、表示部を確実に進退動作させることができる。
【００２９】
本出願の請求項８記載の発明によれば、表示用ラックと体裁用ラックをそれぞれ一対として、それぞれ表示部の両側に配置する構成とすることにより、表示部をバランス良く移動させて確実に進退動作させることができる。
【００３０】
本出願の請求項９記載の発明によれば、回動手段を支持軸と軸受部材とで構成することにより、簡単な構造でありながら表示部をしっかりと支持しつつ回動動作を確実に行うことができる。
【００３１】
また、本出願の請求項１０記載の発明によれば、表示部と外装ケースとの間に位置検出手段を設ける構成とすることにより、表示部の回動位置を検出することができ、その検出情報に基づいて表示部の姿勢変更に対応する制御を行うことができる。
【発明を実施するための最良の形態】
【００３２】
表示部を回動自在に支持するための支持構造を小さくすることができると共に、装置全体の小型化、軽量化を図ることができる表示部の姿勢変更可能な電子機器を、簡単な構成によって実現した。
【実施例１】
【００３３】
図１〜図１０は、本発明の実施の形態を示すものである。即ち、図１及び図２は本発明の電子機器の一具体例を示すデジタルスチルカメラの斜視図、図３Ａ〜Ｃは表示部のスライド及び回動を示す説明図、図４は表示部及び体裁部材の第１実施例を示す斜視図、図５は表示部を分解した斜視図、図６は体裁部材の斜視図、図７Ａ，Ｂは位置検出手段の動作を示す説明図、図８Ａ，Ｂはフレキシブルプリント配線板の状態を示す説明図、図９は表示部及び体裁部材の第１実施例を示す斜視図、図１０はコイルバネで付勢されたフレキシブルプリント配線板の状態を示す説明図である。
【００３４】
まず、本発明の電子機器の一具体例を示すデジタルスチルカメラ１０について説明する。図１に示すデジタルスチルカメラ１０は、情報記録媒体として半導体記憶メモリを使用し、光学的な画像をＣＣＤ（固体撮像素子）で電気的な信号に変換した後、半導体記憶メモリに記録したり、液晶ディスプレイ等の表示装置に表示できるようにしたものである。本実施例は、このデジタルスチルカメラ１０に使用されている表示装置を、外装ケースの上下方向に移動可能とすると共に、移動方向の上端において表示装置を回動可能としてその表示面を前後方向に姿勢変更可能に構成したものである。
【００３５】
デジタルスチルカメラ１０は沈胴式のレンズ装置１１を備えており、図１に示す不使用時のレンズ収納状態（沈胴位置）と、図２に示す使用時のレンズ突出状態｛ワイド（広角）位置又はテレ（望遠）位置｝とを選択的に取ることができる。デジタルスチルカメラ１０は、略四角形の筐体からなる横長の外装ケース１２と、この外装ケース１２の一側に取り付けられると共に前方に突出可能とされたレンズ装置１１と、液晶ディスプレイ（ＬＣＤ）１３等の表示装置を有する表示部１４等を備えて構成されている。
【００３６】
外装ケース１２は、前後方向に重ね合わされるフロントパネル１２ａとリアパネル１２ｂとによって構成されている。フロントパネル１２ａの前面の略中央上部には、電子ビューファインダの対物レンズ１５ａと、フラッシュ装置の発光部１６と、被写体との距離を検出するためのオートフォーカス補助光受光部１７とが配置されている。そして、フロントパネル１２ａの上面には、レンズ装置１１の反対側にシャッタボタン１８が配置されている。
【００３７】
また、リアパネル１２ｂのレンズ装置１１側には表示部１４が配置され、略中央上部には電子ビューファインダの接眼レンズ部１５ｂが配置されている。そして、リアパネル１２ｂのシャッタボタン１８側には、静止画モードと動画とモードと再生モード等を選択的に切り換えるモード切換ダイヤル１９が配置されている。
【００３８】
表示部１４の構成の概略とその動作を、図３Ａ〜Ｃに示す。図３Ａは、外装ケース１２のリアパネル１２ｂに設けた表示収納部２１に、ＬＣＤの表示面２２を内側にして表示部１４を収納した状態を示す図である。図３Ｂは、表示収納部２１に収納された表示部１４を上方の所定位置までスライドし、表示収納部２１を露出させた状態を示す図である。また、図３Ｃは、図３Ｂの状態で表示部１４を後方に１８０度回動した後、表示部１４を下方に押し下げて表示収納部２１に収納し、ＬＣＤ１３の表示面２２を後方に露出させた状態を示す図である。
【００３９】
このような表示部１４の移動及び回動に基づく姿勢変更を確保するため、リアパネル１２ｂには表示部１４よりも少々大きな開口部２３が設けられている。開口部２３は、リアパネル１２ｂの背面と上面とに開口されていて、表示部１４の形状に対応して略四角形とされている。
【００４０】
次に、表示部１４について詳細に説明する。表示部１４は、図５に示すように、表示手段の一具体例を示すＬＣＤ（液晶ディスプレイ）１３と、このＬＣＤ１３の表示面２２側を覆うカバーパネル２５と、ＬＣＤ１３の表示面２２と反対の反表示面側を覆うパネルフレーム２６とから構成されている。ＬＣＤ１３は、透明電極膜を付けた２枚のガラスの間に液晶を挟んだサンドイッチ構造をなしており、電圧をかけると液晶の透過率或いは反射率が変わることを利用して表示するようにしている。この表示手段としては、この実施例に係るＬＣＤ１３に限定されるものではなく、ＥＬ（エレクトロルミネセンス）ディスプレイパネル、プラズマディスプレイパネルその他の表示パネルを適用できることは勿論である。
【００４１】
カバーパネル２５は、長方形をなすＬＣＤ１３の表示面２２全体を覆う透明な表示窓２５ａと、この表示窓２５ａの周囲を囲う枠体部２５ｂとを有している。枠体部２５ｂの幅方向両側の長辺には、それぞれ長手方向に連続する一対の固定ラック２７Ｌ，２７Ｒが設けられている。一対の固定ラック２７Ｌ，２７Ｒは、枠体部２５ｂの長辺の両端を除き、略全辺に亘って形成されている。
【００４２】
パネルフレーム２６は、ＬＣＤ１３の背面全体を覆うフレーム本体２６ａと、このフレーム本体２６ａの長手方向の両側に連続する軸受片２６ｂ及び上面片２６ｃと、フレーム本体２６ａの幅方向の両側に連続する側面片２６ｄ，２６ｅとを有している。これら軸受片２６ｂ、上面片２６ｃ、側面片２６ｄ及び側面片２６ｅによる四方からの締付力によってＬＣＤ１３とカバーパネル２５が挟持され、全体として一体的に構成されている。
【００４３】
図７Ａ，Ｂに示すように、パネルフレーム２６の軸受片２６ｂは円筒状に形成されており、その内部に支持軸２８が回動可能に保持されている。軸受片２６ｂには、支持軸２８が延びる方向に延在された開口穴２９が設けられている。この開口穴２９には、ＬＣＤ１３の電気回路に接続されたフレキシブルプリント配線板（以下「フレキ配線板」という。）３０が挿通され、この開口穴２９から外部に引き出されている。
【００４４】
更に、軸受片２６ｂには、パネルフレーム２６が支持軸２８に対して所定角度以上に回動したときに位置検出手段の一具体例を示す検出スイッチ３２をオン又はオフさせるスイッチ操作部３３が設けられている。検出スイッチ３２の具体例としては、例えば、ＬＣＤ１３の表示面２２の画面を反転させる切換スイッチ等を適用することができる。この検出スイッチ３２は、スイッチ操作部３３で操作されたときに電気回路をオンとしてもよく、これとは逆に、操作時に電気回路をオフとする構成としてもよい。この検出スイッチ３２は、外装ケース１２に設けることができる。
【００４５】
また、軸受片２６ｂとフレーム本体２６ａとが連続する部分には、パネルフレーム２６の回動時にクリック感を生じさせるための突起部３４が設けられている。この突起部３４は、軸受片２６ｂの内側へ突出するように設けられている。この軸受片２６ｂには、パネルフレーム２６自体が持つ弾性によって適当な強さのバネ力が付与されている。一方、この軸受片２６ｂに保持された支持軸２８には、互いに垂直をなす３方を面取りすることによって３面に面取り部３５ａ，３５ｂ，３５ｃが設けられている。
【００４６】
パネルフレーム２６と支持軸２８は、突起部３４が第１の面取り部３５ａに対向する位置から第３の面取り部３５ｃに対向する位置までの間の略１８０度の範囲内で相対的に回動可能とされている。かくして、パネルフレーム２６の回動時、軸受片２６ｂに設けた突起部３４が、支持軸２８の面取り部３５ａと面取り部３５ｂとの間の凸部、又は面取り部３５ｂと面取り部３５ｃとの間の凸部を乗り越えることにより、その際に軸受片２６ｂが押し広げられようとする力に反発する力（締付力）によってクリック感が発生する。
【００４７】
更に、支持軸２８の軸方向両端には、一対の回動ラック３６Ｌ，３６Ｒが取り付けられている。図４に示すように、各回動ラック３６Ｌ，３６Ｒは、支持軸２８の各端部が嵌合される軸受部３６ａと、この軸受部３６ａと一体に形成されたラック部３６ｂとから構成されている。軸受部３６ａには半円筒状の軸受穴が形成されている一方、支持軸２８の各端部には、半円筒状の軸受穴に嵌り合う半円筒状の連結部２８ａが形成されている。この半円筒状の連結部２８ａを同じく半円筒状の軸受穴に嵌合することにより、一対の回動ラック３６Ｌ，３６Ｒが支持軸２８の軸方向両端に、回動方向及び軸方向に一体とされて一体的に固定されている。
【００４８】
一対の回動ラック３６Ｌ，３６Ｒの各ラック部３６ｂは、突起部３４が第１の面取り部３５ａに位置するときには、一対の固定ラック２７Ｌ，２７Ｒと縦方向に連続する位置となるように構成されている。そして、表示部１４が１８０度回転するときには、各固定ラック２７Ｌ，２７Ｒの側方に各回動ラック３６Ｌ，３６Ｒが横並びとなるように重ね合わされる。
【００４９】
このような構成を有する表示部１４の、外装ケース１２における表示収納部２１の内側には、体裁部材４０が上下方向へ移動可能に収納されている。図６に示すように、体裁部材４０は、表示部１４より少々大きな板体からなり、その対向する２辺には、一対のラック部４１Ｌ，４１Ｒが設けられている。一対のラック部４１Ｌ，４１Ｒは、体裁部材４０に表示部１４を重ね合わせた状態において、その表示側ラック２７Ｌ，２７Ｒ及び３６Ｌ，３６Ｒと対応する位置に同程度の長さで形成されている。
【００５０】
体裁部材４０の一対のラック部４１Ｌ，４１Ｒが設けられた２辺と交差する方向に位置する２辺のうち、一方の辺にはガイド部４２が設けられ、他方の辺にはガイドローラ４３が設けられている。ガイド部４２及びガイドローラ４３は、共にフレキ配線板３０の中途部をガイドしてその遊びを取るためのものである。ガイド部４２は、体裁部材４０の一部に直接設けられており、摺動接触するフレキ配線板３０の摺動面を傷つけないように平滑な曲面として形成されている。一方、ガイドローラ４３は体裁部材４０に回動自在に支持されている。すなわち、ガイドローラ４３はローラ軸４４に回転自在に支持されていて、このローラ軸４４が、体裁部材４０に設けた一対の軸受片４５，４５に両端支持されている。
【００５１】
図４に示すように、体裁部材４０に支持されたガイドローラ４３は、外装ケース１２に固定された一対の回転ローラ４７，４８間に出入り可能とされている。一対の回転ローラ４７，４８は、一対の支持フレーム５０，５１間にそれぞれ両端支持されている。一対の支持フレーム５０，５１は、体裁部材４０の下方に配置されると共に、そのラック部４１Ｌ，４１Ｒが連続する方向に延在されている。そして、一対の支持フレーム５０，５１の延在方向の一端には、上方に立ち上げられた軸受片５０ａ，５１ａが設けられ、その中途部には側方に張り出した固定片５０ｂ，５１ｂが設けられている。
【００５２】
一対の軸受片５０ａ，５１ａには、第１ローラ軸５２ａと第２ローラ軸５２ｂが上下方向に適当な隙間をあけてそれぞれ両端支持されている。そして、第１ローラ軸５２ａに第１回転ローラ４７が回転自在に支持され、第２ローラ軸５２ｂに第２回転ローラ４８が回転自在に支持されている。これら第１回転ローラ４７及び第２回転ローラ４８と体裁部材４０のガイドローラ４３との間に、フレキ配線板３０がＭ字状に掛け渡されている。そして、第１回転ローラ４７を通過したフレキ配線板３０の先端部が、外装ケース１２内に収納された電源部と電気的に接続されている。
【００５３】
また、一対の支持フレーム５０，５１の各固定片５０ｂ，５１ｂには、図示しないギア支持フレームの固定片が重ね合わされ、固定ネジによる固着手段によって両フレームが重ね合わされた状態で外装ケース１２に締付固定されている。図示しない一対のギア支持フレームには、同一の構成要素からなるギア列５３Ｌ，５３Ｒが回転自在に支持されている。一対のギア列５３Ｌ，５３Ｒは、表示部１４のスライド動作を体裁部材４０に伝達して、その体裁部材４０を所定距離だけ移動させる動力伝達手段を構成するものである。
【００５４】
なお、図４に示す符号５９ａは、図示しないギア支持フレームを支持フレーム５０，５１に位置決めするための位置決めピンである。また、符号５９ｂは、各固定片５０ｂ，５１ｂに設けた挿入孔であり、この挿入孔５９ｂに固定ネジを挿入して締め付けることにより、一対の支持フレーム５０，５１が外装ケース１２に固定される。
【００５５】
本実施例では、表示部１４の移動距離を１とした場合に、体裁部材４０の移動距離がその１／４となるように各ギア列５３Ｌ，５３Ｒのギア比を設定している。各ギア列５３Ｌ，５３Ｒは、５個のピニオンギアによって構成されており、第１ギア５４が表示部１４の固定ラック２７Ｌ又は２７Ｒに噛合されている。更に、第１ギア５４には第２ギア５５が噛合されていて、この第２ギア５５には第３ギア５６が同心とされて一体に構成されている。第３ギア５６には第４ギア５７が噛合されていて、この第４ギア５７には第５ギア５８が同心とされて一体に構成されている。そして、第５ギア５８が体裁部材４０のラック部４１Ｌ又は４１Ｒに噛合されている。
【００５６】
なお、上述した固定ラック２７Ｌ，２７Ｒ、回動ラック３６Ｌ，３６Ｒ及び体裁部材４０のラック部４１Ｌ，４１Ｒ、並びに一対のギア列５３Ｌ，５３Ｒを構成する５個のピニオンギア５４〜５８のモジュールは、すべて同じものとする。
【００５７】
この実施例のように、表示部１４の移動距離に対する体裁部材４０の移動距離を１／４とする場合、５個のピニオンギアのギア比は、次のように設定することによって実現される。すなわち、入力側である第１ギア５４の回転数を１としたときに、出力側である第５ギア５８の回転数を１／４に設定することによって実現することができる。５個のピニオンギアの歯数を具体的に示すと、例えば、第１ギア５４と第３ギア５６と第５ギア５８の歯数を１０個に設定すると共に、第２ギア５５と第４ギア５７の歯数を２０個に設定することにより実現される。
【００５８】
なお、５個のピニオンギアの歯数は、この実施例に示したものに限定されないことは勿論のこと、ピニオンギアの枚数も本実施例に限定されるものではない。また、表示部１４の移動距離に対する体裁部材４０の移動距離の割合も、本実施例のものに限定されるものではなく、そのギア比を適当に設定することによって任意に設定できるものである。前記カバーパネル２５及び体裁部材４０の材質としては、例えば、エンジニアリングプラスチックが好適であるが、アルミニウム合金等の金属を用いることもできる。また、前記パネルフレーム２６及び支持フレーム５０，５１の材質としては、例えば、ステンレス鋼やアルミニウム合金等の金属が好適であるが、エンジニアリングプラスチックを用いることもできる。
【００５９】
このような構成を有するデジタルスチルカメラ１０によれば、例えば、次のようにして表示部１４を容易に反転動作させることができる。一般に、カメラの不使用時は、表示部１４の表示面２２が外から見えないように内側に向けて表示収納部２１に収納しておくことが好ましい。表示面２２が外に露出されていると、ゴミが付着したり、傷付けられたりして好ましくないからである。この状態が、図３Ａに示す状態である。この状態から、表示部１４を反転させて表示面２２を外に露出させる場合には、まず、図３Ｂに示すように、表示部１４を指で押し上げて上方にスライドさせ、外装ケース１２の上部に突出させる。
【００６０】
この場合、表示部１４の両側部が外装ケース１２の表示収納部２１を形成する開口の縁部にガイドされているため、表示部１４はスムースに上方へ移動することができる。このとき、表示部１４を移動する力が動力となって一対のギア列５３Ｌ，５３Ｒに伝達される。すなわち、表示部１４の移動力が、固定ラック２７Ｌ（又は２７Ｒ）から第１ギア５４に伝達され、更に、第２ギア５５、第３ギア５６、第４ギア５７を介して第５ギア５８に伝達される。そして、第５ギア５８から体裁部材４０のラック部４１Ｌ，４１Ｒに伝達される。
【００６１】
本実施例では、図８Ａ，Ｂに示すように、一対のギア列５３Ｌ，５３Ｒのギア比が１対４に設定されているため、表示部１４の移動量に対して体裁部材４０を１／４だけ移動させることができる。その際、体裁部材４０の移動に伴ってガイドローラ４３が同じ移動量だけ移動するため、このガイドローラ４３の移動によってフレキ配線板３０の遊びを取り除き、フレキ配線板３０に弛みが生じないようにすることができる。従って、表示部１４の移動によるフレキ配線板３０の弛みを防止し、表示部１４等で擦られてフレキ配線板３０が傷つけられたり、破断されたりするのを防ぐことができる。
【００６２】
表示部１４が上端部まで移動した状態を示す図が、図２及び図３Ｂである。この状態では、図２に示すように、被写体に対して表示部１４の表示面２２が対向されることになる。そのため、この状態では、被写体に対物レンズを向けた状態での撮影、すなわち、いわゆる自分撮り撮影が可能となる。
【００６３】
この状態では、また、各ギア列５３Ｌ，５３Ｒの第１ギア５４は、固定ラック２７Ｌ，２７Ｒを通過し、一対の回動ラック３６Ｌ，３６Ｒの各ラック部３６ｂ，３６ｂと噛合している。これら回動ラック３６Ｌ，３６Ｒは支持軸２８に固定されていて、パネルフレーム２６との間では相対的に回動可能とされている。従って、各ラック部３６ｂが第１ギア５４と噛合した状態を保持したまま、支持軸２８を中心にパネルフレーム２６を回動させることができる。また、体裁部材４０が表示収納部２１の開口部２３を覆うため、外装ケース１２内に収納されている装置、機構、部品等を覆い隠し、外から内部が見えないようにすることができる。そのため、表示部１４が上方へ突出した際に、内部構造が丸見えとなって見映えが悪くなるのを防ぐことができる。
【００６４】
次に、支持軸２８を中心にパネルフレーム２６を後方に回動させる。このとき、パネルフレーム２６のスイッチ操作部３３が検出スイッチ３２をオンさせる。その結果、ＬＣＤ１３の表示面２２の画像が反転され、図３Ｃに示すように、図２に示す画像表示と同一になる。そして、図３Ｃに示すように、表示部１４を外装ケース１２の表示収納部２１内に挿入することにより、その表示収納部２１内において表示面２２が後方に対向される。このときの表示面２２の画像は、電子ビューファインダのそれを拡大したものと同一であるため、大きな画面の表示面２２を見ながら、自分以外の被写体を撮影対象にした普通の撮影を行うことができる。
【００６５】
この状態から表示部１４を、図３Ａに示す元の状態に戻す場合には、これまでとは逆の動作を行えばよい。すなわち、表示部１４を引き起こして支持軸２８を中心に１８０度回動させることにより、図３Ｂに示す状態に戻る。その後、表示部１４を上方から押圧して表示収納部２１内に押し込むことにより、図３Ａに示す状態に戻り、表示面２２を内側に隠した状態とすることができる。なお、本実施例においては、図２及び図３Ｂに示す自分撮り位置から９０度回転した位置で検出スイッチ３２を押圧して画像を反転させる場合について説明したが、その他の位置、例えば、表示部１４を表示収納部２１に収納するときに検出スイッチ３２を押圧して画像を反転させるように構成してもよい。
【００６６】
図９は、上述した動力伝達手段の変形実施例を示すもので、２個の電動モータ６０によって一対のギア列６１Ｌ，６１Ｒを電気動力で個別に動作させて、表示部１４を自動的に進退動作できるように構成したものである。各電動モータ６０は外装ケース１２に固定され、その回転軸６０ａに駆動ギア６２が固定されている。この駆動ギア６２が、各ギア列６１Ｌ，６１Ｒの第１ギア５４に噛合されている。他の構成は上述した実施例と同様であるため、同一部分には同一符号を付して、それらの説明を省略する。
【００６７】
電動モータ６０の駆動は、例えば、専用の操作スイッチを設けて、そのオン・オフ操作によって反転動作可能に構成する。このように構成することにより、電動モータ６０を一方に回動させて、その駆動力で表示部１４を図３Ｂに示すように、表示収納部２２から突出する方向に移動させる。また、電動モータ６０を他方に回動させることにより、その駆動力で表示部１４を図３Ａに示すように、表示収納部２２内に収納するように移動することができる。
【００６８】
図１０は、電動モータに代えてコイルバネ７０を用い、そのコイルバネ７０のバネ力でフレキ配線板３０に常に一定の張力が働くように構成したものである。コイルバネ７０は、体裁部材４０と外装ケース１２との間に引っ張った状態で掛け渡されている。このように構成することによっても、フレキ配線板３０の弛みを防止し、表示部１４が移動することによってフレキ配線板３０が傷つけられるのを防止することができる。
【００６９】
以上説明したように、表示部の一辺を中心に回動させる回動手段を設ける構成としたため、回動手段によって表示部を回動させることができると共に、その回動により表示部の表と裏を任意に入れ替えて表示することができる。
【００７０】
また、表示部と回動手段に加えて体裁部材と動力伝達手段を設ける構成としたため、表示部をスライドさせることによって、その移動量に応じて体裁部材が、動力伝達手段の作動を介して所定量移動する。そして、移動時の前後において、回動手段によって表示部を回動させることにより、表示部を反転動作させてその表と裏を任意に表示することができ、その状態で所定位置に収納することができる。従って、体裁部材がフレキ配線板の動きを矯正するため、表示部をスムースに進退動作させることができると共に、フレキ配線板が傷つけられるのを防ぐことができる。そのため、ＬＣＤの未使用時における表示面の保護を図ることができると共に、体裁部材による内部機構の保護を図ることができる。
【産業上の利用可能性】
【００７１】
本発明は、前述しかつ図面に示した実施の形態に限定されるものではなく、その要旨を逸脱しない範囲内で種々の変形実施が可能である。前記実施例においては、電子機器としてデジタルスチルカメラに適用した例について説明したが、その他にも、例えば、デジタルビデオカメラ、携帯電話、ＰＤＡ、電子辞書等のように各種の電子機器に適用可能である。また、前記実施例では、フレキシブルプリント配線板の遊びを取る例について説明したが、細いリード線であっても同様の効果を得ることができる。
【図面の簡単な説明】
【００７２】
【図１】本発明の電子機器の一具体例に係るデジタルスチルカメラにおけるレンズ装置の沈胴状態及び表示部の収納状態を示す斜視図である。
【図２】本発明の電子機器の一具体例に係るデジタルスチルカメラにおけるレンズ装置の使用状態及び表示部の突出状態を示す斜視図である。
【図３】図１に示すデジタルスチルカメラにおける表示部のスライド及び回動動作を説明するもので、同図Ａは表示部を表示収納部に収納した状態、同図Ｂは同図Ａの状態から表示部を突出させた状態、同図Ｃは更に表示部を反転させて表示収納部に収納した状態、をそれぞれ示す説明図である。
【図４】図１に示すデジタルスチルカメラにおける表示部及び体裁部材の第１実施例を示す斜視図である。
【図５】図４に示す表示部を分解して示す斜視図である。
【図６】図４に示す体裁部材を示す斜視図である。
【図７】本発明の位置検出手段の動作を説明するもので、同図Ａは検出スイッチの動作前の状態、同図Ｂは検出スイッチの動作後の状態、をそれぞれ示す説明図である。
【図８】本発明の表示部とフレキシブルプリント配線板との関係を説明するもので、同図Ａは表示部を表示収納部に収納した状態、同図Ｂは表示部を表示収納部から突出した状態、をそれぞれ示す説明図である。
【図９】図１に示すデジタルスチルカメラにおける表示部及び体裁部材の変形実施例を示す斜視図である。
【図１０】本発明の表示部とフレキシブルプリント配線板との関係の他の例を示す説明図である。
【図１１】従来のデジタルスチルカメラを説明するもので、同図Ａは表示部を表示収納部に収納した状態、同図Ｂは同図Ａの状態から表示部を回動させて表示面を後方に向けた状態、同図Ｃは表示部を回転させて表示面を前に向けた状態、同図Ｄは更に表示部を反転させて表示収納部に収納した状態、をそれぞれ示す説明図である。
【符号の説明】
【００７３】
１０…デジタルスチルカメラ（電子機器）、  １１…レンズ装置、  １２…外装ケース、  １３…液晶ディスプレイ（ＬＣＤ）、  １４…表示部、  ２１…表示収納部、  ２２…表示面、  ２５…カバーパネル、  ２６…パネルフレーム、  ２７Ｌ，２７Ｒ…固定ラック、  ２８…支持軸、  ３０…フレキシブルプリント配線板（フレキ配線板）、３２…検出スイッチ（位置検出手段）、  ３３…スイッチ操作部、  ３６Ｌ，３６Ｒ…回動ラック、  ４０…体裁部材、  ４２…ガイド部、  ４３…ガイドローラ、  ４７，４８…回転ローラ、  ５１Ｌ，５１Ｒ，６１Ｌ，６１Ｒ…ギア列、  ６０…電動モータ、  ７０…コイルバネ
【図１】
2005234480.tif 000003
【図２】
2005234480.tif 000004
【図３】
2005234480.tif 000005
【図４】
2005234480.tif 000006
【図５】
2005234480.tif 000007
【図６】
2005234480.tif 000008
【図７】
2005234480.tif 000009
【図８】
2005234480.tif 000010
【図９】
2005234480.tif 000011
【図１０】
2005234480.tif 000012
【図１１】
2005234480.tif 000013